(57)【要約】【課題】肌触りが良好であって、デザイン性を向上できる繊維不織布シートを提供する。【解決手段】繊維不織布シートであるワイプスシート１０は、厚さ方向Ｚと、第１方向Ｘ及び第１方向Ｘに交差する第２方向Ｙと、厚さ方向Ｚに対向する第１面１１及び第２面１２を有し、構成繊維を交絡することによって形成されたものである。ワイプスシート１０は、第１面１１において第２面１２側へ凹となる凹状ライン１８から形成された複数の図柄部４１，４２を有している。図柄部４１，４２は、独立かつ閉鎖した外形状を有している。凹状ライン１８は、繊維交絡によって形成されている。複数の図柄部４１，４２は、互いに異なるとともに凹状ライン１８の総面積が互いに異なる。【選択図】図２
2019119955.tif 000002
【特許請求の範囲】
【請求項１】
厚さ方向と、第１方向及び前記第１方向に交差する第２方向と、前記厚さ方向に対向する第１面及び第２面を有し、構成繊維を交絡することによって形成された繊維不織布シートにおいて、
前記第１面において前記第２面側へ凹となる凹状ラインから形成された複数の図柄部を有し、
前記図柄部は、独立かつ閉鎖した外形状を有し、
前記凹状ラインは、繊維交絡によって形成され、
前記複数の図柄部は、互いに異なるとともに前記凹状ラインの総面積が互いに異なることを特徴とする繊維不織布シート。
【請求項２】
前記複数の図柄部のうち少なくとも１つの図柄部は、外周縁から離れて位置する請求項１に記載の繊維不織布シート。
【請求項３】
前記図柄部を囲むように外側に位置する副図柄を有する請求項１に記載の繊維不織布シート。
【請求項４】
前記凹状ラインは、延在方向へ連続する１つのラインにおいて、前記延在方向に対する幅寸法が異なる幅狭部分と幅広部分とを有する請求項１〜３のいずれかに記載の繊維不織布シート。
【請求項５】
前記凹状ラインは、異なるラインにおいて、延在方向に対する幅寸法が異なる第１ライン及び第２ラインを有する請求項１〜３のいずれかに記載の繊維不織布シート。
【請求項６】
前記副図柄を構成する前記凹状ラインの幅寸法が、前記図柄部を構成する前記凹状ラインの幅寸法よりも小さい請求項３に記載の繊維不織布シート。
【請求項７】
前記副図柄を構成する前記凹状ラインの幅寸法が、前記図柄部を構成する前記凹状ラインの幅寸法よりも大きい請求項３に記載の繊維不織布シート。
【請求項８】
前記図柄部は、外側図柄部と、前記外側図柄部の内側に位置する内側図柄部とを有し、
前記外側図柄部の幅寸法が、前記内側図柄部の幅寸法よりも大きい請求項３に記載の繊維不織布シート。
【請求項９】
前記第２方向の任意に選択した箇所における前記第１方向には、前記複数の図柄部のうち少なくとも１つの前記図柄部が存在している請求項１〜８のいずれかに記載の繊維不織布シート。
【請求項１０】
ドライ状態またはウエット状態で使用するワイプス用である請求項１〜９のいずれかに記載の繊維不織布シート。
【発明の詳細な説明】
【技術分野】
【０００１】
本発明は、繊維を交絡することによって形成された繊維不織布シートに関する。
【背景技術】
【０００２】
従来、繊維を交絡することによって形成された繊維不織布シートは公知である。例えば、特許文献１には、繊維の交絡によって形成された繊維ウェブの製造工程において、一部の繊維が高圧流体によって交絡して再配列され、それによって凹凸模様を備えた繊維不織布シートが開示されている。
【先行技術文献】
【特許文献】
【０００３】
【特許文献１】特開２０１３−２４１７２４号公報（Ｐ２０１３−２４１７２４Ａ）
【０００４】
特許文献１に開示されている発明では、全体として繊維の交絡によって繊維不織布シートが形成されていることから比較的に柔軟性に優れるとともに、製造工程における噴射ノズルから噴射される流体によって賦形された、複数のストライプラインからなる凹凸模様（個々のストライプラインは繊維ウェブの搬送される機械方向へ延び、ストライプラインが機械方向と交差する方向へ交互に配置されることによって形成された凹凸模様）を有することによって、模様が付されていない繊維不織布に比べてデザイン性に優れている。
【発明の概要】
【発明が解決しようとする課題】
【０００５】
しかしながら、凹凸模様は、繊維不織布シートの外周縁にまで延びている連続模様であって、その模様の外形輪郭を把握することができない。そのため、使用者に対して、凹凸模様は、各繊維不織布シートに付された独自のデザインとして認識されることはなく、単純なデザインの繰り返しである地模様として認識され、高いデザイン性のあるものとして印象付けることができない。
【０００６】
ところで、熱溶着シート層を含む複数の繊維層を積層し、製造工程において、熱エンボス加工を施すことによって、高いデザイン性を有する凹凸模様を有する繊維不織布シートも存在するが、熱溶着シートが溶着された部分が比較的に硬くなり、繊維不織布シートの柔軟性が損なわれて肌触りが悪くなるとともに、破れやすくなる。
【０００７】
そこで、本発明の目的は、肌触りが良好であって、デザイン性を向上できる繊維不織布シートを提供することにある。
【課題を解決するための手段】
【０００８】
本発明は、厚さ方向と、第１方向及び第１方向に交差する第２方向と、厚さ方向に対向する第１面及び第２面を有し、構成繊維を交絡することによって形成された繊維不織布シートに関する。
【０００９】
本発明に係る繊維不織布シートは、第１面において第２面側へ凹となる凹状ラインから形成された複数の図柄部を有し、図柄部は、独立かつ閉鎖した外形状を有し、凹状ラインは、繊維交絡によって形成され、複数の図柄部は、互いに異なるとともに凹状ラインの総面積が互いに異なることを特徴とする。
【００１０】
繊維不織布シートにおける複数の図柄部のうち少なくとも１つの図柄部は、外周縁から離れて位置する。これによって、繊維不織布シートのデザイン性を向上することができる。
【００１１】
繊維不織布シートは、凹状ラインから形成され、図柄部を囲むように外側に位置する副図柄を有する。これによって、拭き取り時、先ず、外側に位置する副図柄の凹状ラインに異物が収容されるため、拭き取りの後において、図柄部の明瞭性が低下するのを抑えることができる。
【００１２】
繊維不織布シートにおける前記凹状ラインは、延在方向へ連続する１つのラインにおいて、前記延在方向に対する幅寸法が異なる幅狭部分と幅広部分とを有する。これによって、繊維不織布シートのデザイン性を向上することができる。
【００１３】
繊維不織布シートの凹状ラインは、異なるラインにおいて、延在方向に対する幅寸法が異なる第１ライン及び第２ラインを有する。これによって、繊維不織布シートのデザイン性を向上することができる。
【００１４】
繊維不織布シートにおいて、前記副図柄を構成する前記凹状ラインの幅寸法が、前記図柄部を構成する前記凹状ラインの幅寸法よりも小さい。このため、副図柄を目立ちにくくする一方、第１図柄部及び第２図柄部を目立たせることができる。
【００１５】
繊維不織布シートにおける副図柄を構成する凹状ラインの幅寸法が、図柄部を構成する凹状ラインの幅寸法よりも大きい。このため、拭き取りの後においても、図柄部の明瞭性が低下するのを抑えることができる。
【００１６】
繊維不織布シートにおける図柄部は、外側図柄部と、外側図柄部の内側に位置する内側図柄部とを有し、外側図柄部の幅寸法が、内側図柄部の幅寸法よりも大きい。このため、拭き取りの後においても、内側図柄部の明瞭性が低下するのを抑えることができる。
【００１７】
繊維不織布シートにおいて、第２方向の任意に選択した箇所における第１方向には、複数の図柄部のうち少なくとも１つの図柄部が存在している。これによって、汚れの拭き取りの際、図柄部が存在していない箇所に指が当たっている状態であっても、第１方向へ指を動かせば、いずれかの図柄部に指が当たるため、指が当たる箇所の変更が容易である。
【００１８】
繊維不織布シートは、ドライ状態またはウエット状態で使用するワイプス用である。これによって、上述した作用・効果を有するワイプス用のシートを提供できる。
【発明の効果】
【００１９】
本発明に係る繊維不織布シートは、第１面において第２面側へ凹となる凹状ラインから形成された複数の図柄部を有し、凹状ラインは、繊維交絡によって形成されているため、熱溶着によるフィルム化した凹部を有していないから肌触りが良く破れにくい。しかも、図柄部は、独立かつ閉鎖した外形状を有し、複数の図柄部は、互いに異なるため、繊維不織布シートのデザイン性を向上することができる。加えて、複数の図柄部の凹状ラインの総面積が互いに異なるため、異物の収容容量が異なる図柄部が複数存在し、これによって、使用者が汚れに応じて図柄部を選択して拭き取ることが可能となる。
【図面の簡単な説明】
【００２０】
図面は、本発明の特定の実施の形態を示し、発明の不可欠な構成ばかりでなく、選択的及び好ましい実施の形態を含む。
【図１】本発明に係る繊維不織布シートの一例として示す、ワイプスシートの斜視図。
【図２】ワイプスシートの平面図。
【図３】（ａ）図２のＩＩＩ（ａ）−ＩＩＩ（ａ）に沿う断面図。（ｂ）図２のＩＩＩ（ａ）−ＩＩＩ（ａ）に沿う断面図。
【図４】ワイプスシートの製造装置の一部における、水流噴射工程の斜視図。
【図５】（ａ）サクションドラムにおいて、水流が噴射される前の線状凸部上の繊維ウエブの拡大図。（ｂ）サクションドラムにおいて、水流が噴射された後の線上凸部上の繊維ウエブの拡大図。
【図６】変形例の一例における図２と同様の平面図。
【図７】さらに別の変形例における図２と同様の平面図。
【発明を実施するための形態】
【００２１】
図１〜図３を参照すると、本発明の繊維不織布シートの一例として示すワイプスシート（拭き取りシート）１０は、構成繊維を交絡することによって形成された嵩高かつ柔軟なシートであって、互いに交差（直交）する第１方向Ｘと第２方向Ｙと、第１方向Ｘ及び第２方向Ｙにそれぞれ交差（直交）する厚さ方向Ｚと、厚さ方向Ｚにおいて互いに対向する第１面１１及び第２面１２とを有する。本明細書において、第１面１１を拭き取り面、第２面１２を非拭き取り面ともいう。
【００２２】
ワイプスシート１０は、略矩形状であって、第２方向Ｙにおいて互いに対向して第１方向Ｘへ延びる第１端縁１０ａ及び第２端縁１０ｂと、第１方向Ｘにおいて互いに対向して第２方向Ｙへ延びる第１側縁１０ｃ及び第２側縁１０ｄとからなる外周縁を有する。
【００２３】
ワイプスシート１０は、ドライ状態又はウエット状態で使用するものであって、例えば、使い捨てお尻拭きシート、使い捨て清掃用シート、使い捨ておしぼり等に用いることができる。また、本発明に係る繊維不織布シートは、ワイプス用に限らず、生理用ナプキン、使い捨ておむつ及び母乳パッド等の衛生用品の肌対向面側に配置される表面シート等を構成するシート材料として好適に用いることができる。
【００２４】
ワイプスシート１０をウエットワイプスとして使用する場合には、それに含浸させる薬剤として、例えば、界面活性剤、保湿剤、肌に清涼感を与えるためのエタノール等の清涼感付与剤、エモリエント剤、ＰＨ調整剤、香料、酸化防止剤、キレート剤、植物エキス、褐色防止剤、消炎剤、皮膚賦活剤、収斂剤などを１種または２種以上含めたものを使用することができる。
【００２５】
図３を参照すると、ワイプスシート１０は、第１面１１側を形成する第１繊維層２１と、第２面１２側を形成する第２繊維層２２と、第１繊維層２１と第２繊維層２２との間に位置する中間繊維層（第３層）２３とを含む。第１繊維層２１、第２繊維層２２及び中間繊維層２３は、それらを構成する繊維どうしが三次元的に互いに交絡されて複合化された多層構造を有する。
【００２６】
第１繊維層２１及び第２繊維層２２には、親水性繊維と合成繊維との混合繊維ウエブを用いることができる。親水性繊維の材料としては、吸水繊維が好ましく、さらに好ましくは、レーヨン繊維等の再生繊維、コットン繊維等を用いることができる。合成繊維としては、ポリエステル系繊維、例えば、ポリエチレンテレフタレート（ＰＥＴ）のほか、ポリオレフィン系繊維、例えば、ポリプロピレン（ＰＰ）、ポリエチレン（ＰＥ）の各繊維およびこれらを用いた芯鞘型の複合繊維を用いることができる。複合繊維の鞘部分を形成する材料には、芯部分を形成する材料に比べて溶融温度の低いものが使用される。
【００２７】
かかる芯鞘型の複合繊維としては、例えば、ポリエチレンとポリプロピレン、ポリエチレンとポリエステル、ポリプロピレンとポリエステルの組み合わせ等がある。「合成繊維」とは、その繊維自体の材料が疎水性を有するものであって、その材料を親水化剤で処理したものも含まれる。その材料からなる繊維の親水化処理としては、繊維表面に親水化剤（油剤）を付着したもの、又はその繊維内に親水化剤（油剤）を含有させたものが挙げられる。
【００２８】
本実施形態において、第１繊維層２１及び第２繊維層２２には、好ましくは、レーヨン繊維とＰＥＴ（ポリエチレンテレフタレート）繊維とを２０：８０〜８０：２０の割合（質量％）で混同した繊維ウエブから形成されている。ＰＥＴ繊維は、合成繊維の中で最も生産量が多いポリエステル系繊維の一種であって、強度性、耐熱性、耐水性、耐酸性、耐アルカリ性等に優れ、ワイプスシートのシート材料として好適である。
【００２９】
第１繊維層２１及び第２繊維層２２は主として疎水性の繊維から構成されていることから疎水性層といえ、中間繊維層２３は、主として親水性繊維から構成されていることから、親水性層といえる。
【００３０】
中間繊維層２３は、レーヨン、コットン、パルプ等の親水性繊維、好ましくは、パルプ繊維から形成され、使用されるパルプ繊維は一般的に使用される広葉樹及び針葉樹の木材繊維のほかに、木材パルプ繊維以外の植物繊維や合成繊維（好ましくは、親水化処理されたもの）などを組み合わせることができる。パルプ繊維は、繊維が短く、単位面積当たりの繊維本数が多くなって、中間繊維層２３の白色度が比較的に高くなって、図柄域４０の視認性を高めることができる。また、パルプ繊維の他に、マニラ麻、楮、三椏、リンターパルプを混合してもよい。
【００３１】
ワイプスシート１０の厚さ寸法Ｄ１は約０．３〜１．０ｍｍ、質量は約４０〜６０ｇ／ｍ２、見掛け密度は０．０３〜０．０９ｇ／ｃｍ３である。ワイプスシート１０の厚さ寸法Ｄ１の測定には、厚さ測定器（ＰＥＡＣＯＣＫ社製、測定面φ４４ｍｍ、測定圧３ｇ／ｃｍ３）を使用した。
【００３２】
第１繊維層２１及び第２繊維層２２に使用されるレーヨン繊維及びＰＥＴ繊維の繊度は１．５〜２．５ｄｔｅｘ、また、レーヨン繊維及びＰＥＴ繊維の繊維長は、２０〜５０ｍｍ、好ましくは、３５〜４５ｍｍである。パルプ繊維の繊維長は、１〜１０ｍｍ、好ましくは、２〜５ｍｍである。
【００３３】
図２及び図３を参照すると、ワイプスシート１０は、第１面１１において第２面１２の側へ凹となる凹状ライン１８から形成された図柄域４０を有する。凹状ライン１８は、構成繊維の交絡によって形成されており、有底の底部１８ａと、図３（ｂ）に示す凹状ライン１８の横断面において、底部１８ａを壁のように囲む両側部１８ｂとを有する。
【００３４】
「凹状ラインが有底である」とは、凹状ライン１８の延在方向に連続した開孔が形成されてないことを意味し、流体噴射工程における繊維の再配向によって形成された大小様々な繊維間隙を有するものであっても、その延在方向に連続する開孔が形成されていなければ有底であるといえる。このように、凹状ライン１８が有底であることから、例えば、ワイプスシート１０をお尻拭きシートに使用した場合には、拭き取った後に凹状ライン１８に入り込んだ排泄物（異物）が使用者の指に付着することを抑えることができる。
【００３５】
図柄域４０は、互いに異なるデザインからなる第１図柄部４１と第２図柄部４２とを有する。第１図柄部４１は、凹状ライン１８から形成された、略円形状の外形線４１Ａと、外形線４１Ａに囲まれた略星形状の図柄４１Ｂとを有する。第２図柄部４２は、略楕円形状の外形線４２Ａと、外形線４２Ａに囲まれた、複数の文字が第２方向Ｙに並ぶ複数列に配置されてなる図柄４２Ｂとを有する。第１図柄部４１と第２図柄部４２とは、第１方向Ｘの略中央において並んで位置している。
【００３６】
図柄域４０は、さらに、第１図柄部４１及び第２図柄部４２が切断され、それらの一部である第３図柄部４３と、ハート形の比較的に小さな副図柄４４とをさらに有する。第１図柄部４１及び第２図柄部４２は、第１面１１において比較的に大きな面積を有し、それ単独で完全なデザイン性を発揮して使用者に印象付けることができるものであるから主たる図柄（主図柄）であるといえる。一方、第３図柄部４３は不完全であってそれ単独で任意のデザイン性を発揮するものではないため、第３図柄部４３は副次的な図柄であるといえる。また、副図柄４４は比較的に小さくそれ単独では使用者に印象付けるようなデザイン性を発揮するものとはいえない。第３図柄部４３及び副図柄４４は、第１図柄部４１及び第２図柄部４２を囲むように外側に位置している。これによって、ワイプスシート１０のデザイン性を向上することができる。また、副図柄４４を構成する凹状ライン１８の幅寸法は、第１図柄部４１及び第２図柄部４２を構成する凹状ライン１８の幅寸法よりも小さい。これによって、副図柄４４を目立ちにくくする一方、第１図柄部４１及び第２図柄部４２を目立たせることができる。
【００３７】
第１図柄部４１及び第２図柄部４２は、独立かつ閉鎖した外形線４１Ａ，４２Ａを有し、外形線４１Ａ，４２Ａはワイプスシート１０の外周縁（第１端縁１０ａ、第２端縁１０ｂ、第１側縁１０ｃ及び第２側縁１０ｄによって画成される外周縁）から離れて位置している。ここで、第１図柄部４１及び第２図柄部４２の外形線４１Ａ，４２Ａが独立しているとは、織生地の地模様のように布地の外周縁まで延びてその外形状全体を把握することのできない連続模様ではなく、ワイプスシート１０の外周縁から離れて位置し、完全に独立したデザイン性を有するものを意味する。したがって、例えば、第３図柄部４３のように、外形線４３Ａがシート外周縁にまで到達して全体的なデザインを把握することができないものは、独立した外形線には該当しない。
【００３８】
また、第１図柄部４１及び第２図柄部４２の外形線４１Ａ，４２Ａが閉鎖しているとは、外形線４１Ａ，４２Ａが図柄４１Ｂ，４２Ｂを囲むように連続的又は非連続的に延びていることを意味する。外形線４１Ａ，４２Ａは、図柄４１Ｂ，４２Ｂを囲んだ態様を有する限りにおいては、円形、楕円形、三角形、多角形等の各種公知の形状を有していてもよい。
【００３９】
第１図柄部４１の図柄４１Ｂ及び第２図柄部４２の図柄４２Ｂは、一見して使用者に認識されるようなデザイン性を有するものであることが好ましく、図示例のほかに、アニメや漫画のキャラクター、企業の宣伝用のロゴや各種公知の意匠デザイン、文字、図形、記号並びにそれらの組み合わせによるメッセージ性のあるデザイン等を含む。文字には、アルファベット文字、平仮名文字、カタカナ文字、漢字及び諸外国語の文字（例えば、インドネシア語の文字）等を含む。副図柄４４は、一見して使用者に認識されるようなデザイン性を有するものである必要はなく、図示例のほかに、スター（星）形状、バブルを模した円環形状等であってもよい。
【００４０】
ワイプスシート１０において、第１図柄部４１及び第２図柄部４２は立体的な形状を有する主たるデザイン領域であるとともに、排泄物や粉塵等の異物を拭き取るための拭き取り領域ともいえる。すなわち、ワイプスシート１０を使用するときには、第１面１１を拭き取り面として、身体やテーブル等の被拭き取り面に付着した汚れを凹状ライン１８の両側部１８ｂの第１面１１側の端縁（エッジ）１８ｃを利用して汚れを掻き取るように効果的に拭き取ることができる。
【００４１】
使用者が第１図柄部４１又は第２図柄部４２を指で押さえて被拭き取り面に付着した汚れを効率的に拭き取るためには、第１図柄部４１及び第２図柄部４２は所要の大きさを有することが好ましく、例えば、ワイプスシート１０の表面積の少なくとも１０％以上の面積を有することが好ましい。一方、副図柄４４は、比較的に小さな面積を有するものであるから、主たる拭き取り域として機能するものではない。
【００４２】
通常、ワイプスシートには、嵩高性及び肌触り性を考慮して、水流交絡処理によって形成されたスパンレース繊維不織布が好適に使用され、そのデザイン性や拭き取り性を向上させるために、シート表面に繊維交絡によってシート表面から全体的に隆起した立体的な図柄を付与し、幾何学模様やレース模様等の凹凸模様を付与することは知られている。
【００４３】
ワイプスシートにシート表面から隆起した立体的な図柄を付与した場合には、印刷による図柄に比べてよりデザイン性が向上するとともに、隆起した外周縁部によって汚れを拭き取ることができる。しかしながら、図柄自体が隆起状を有することから、拭き取り時に被拭き取り面に摺接され、摩擦によって図柄部の形態が崩れてしまうおそれがある。
【００４４】
一方、ワイプスシートに連続した凹凸模様を付した場合には、図柄として完全に独立したものではないことから、使用者に対して強くそのデザインを印象付けることができない。また、製造時に流体によって機械方向へ連続して付与されるものであるから、完全に独立した態様を有することによって初めてその意匠性を発揮しうるもの、例えば、キャラクターや文字、記号等の高いデザイン性やメッセージ性を有するものを採用することはできない。
【００４５】
さらに、ワイプスシートに熱エンボス（デボス）処理を施すことによって、複数の凹状ラインからなる図柄部を形成する場合もあるが、かかる場合には、熱エンボス加工によって構成繊維が熱溶着されて凹状ライン内が比較的に硬くなってしまい、スパンレース不織布本来の柔軟性や風合いが損なわれる。また、乳幼児のお尻拭きシートして使用した場合には、エンボス加工された部分が肌に当たって不快感や刺激を与えるおそれがあるとともに、破れやすくなる。
【００４６】
本実施形態に係るワイプスシート１０においては、図柄域４０を形成する凹状ライン１８が、構成繊維の交絡によって形成されたものであることから、熱エンボス処理によって形成される場合に比べて不織布全体として柔軟であって良好な肌触りを有し、スパンレース不織布独特の柔軟性を維持することができる。また、第１図柄部４１及び第２図柄部４２が、独立した外形線４１Ａ，４２Ａを有することから、完全に独立した態様を有するデザインを採用することができ、シート外周縁まで延びる単なる連続模様に比べて、デザイン性に優れて美的外観を向上させることができる。
【００４７】
図柄域４０自体が隆起する場合には、光が乱射してその外形輪郭がぼやけるおそれがあるが、それが凹状ライン１８によって形成されていることから、使用者に対してその外形輪郭をより鮮明に把握させることができる。また、拭き取り時には凹状ライン１８以外の部分が被拭き取り面に直接摺接されるので、摩擦によって凹状ライン１８の形状が崩れて図柄域４０が大きく変形されることはない。
【００４８】
第１図柄部４１及び第２図柄部４２においては、外形線４１Ａ，４２Ａが閉鎖状であって、外形線４１Ａ，４２Ａに囲まれるように図柄４１Ｂ，４２Ｂが配置されている。図柄４１Ｂ，４２Ｂが外形線４１Ａ，４２Ａに囲まれていることによって、使用者が引っ張ったり揉み解したりしてワイプスシート１０を変形させた場合であっても、外形線４１Ａ，４２Ａを起点として変形するので、図柄４１Ｂ，４２Ｂはその形状を維持することができる。また、拭き取り時において被拭き取り面を比較的に強く擦って外形線４１Ａ，４２Ａの形状が崩れるとしても、それらに囲まれた図柄４１Ｂ，４２Ｂの形状が崩れるのを抑制することができる。
【００４９】
第１図柄部４１と第２図柄部４２とは、互いにデザインが異なるとともに、凹状ライン１８の総面積が互いに異なっている。これによって、異物の収容容量が異なる図柄部４１，４２が存在するため、使用者が汚れの量に応じた図柄部４１，４２選択して拭き取ることが可能となる。
【００５０】
また、主たる拭き取り域である第１図柄部４１及び第２図柄部４２の周辺には、第３図柄部４３及び副図柄４４が位置している。したがって、ワイプスシート１０が揉み解されたときには、第３図柄部４３及び副図柄４４が起点となって変形し、中心に位置する第１図柄部４１及び第２図柄部４２の変形を抑制しうるといえる。
【００５１】
第１図柄部４１及び第２図柄部４２は、拭き取り性及び美観の観点から、曲状の凹状ライン１８を有することが好ましい。本実施形態においても、外形線４１Ａ，４２Ａが曲状であって、図柄４１Ｂ，４２Ｂも曲状部分を有している。このように、第１図柄部４１及び第２図柄部４２が曲状の凹状ライン１８を有することによって、柔軟で肌当たりの良い印象を与えることができるとともに、被拭き取り面の形状に合わせて変形し易く、例えば、被拭き取り面の幅狭かつ曲状の凹状ライン１８に沿って図柄部４１，４２を変形して汚れを拭き取ることができる。
【００５２】
使用者は、第１面１１側に凹状ライン１８からなる図柄域４０が位置することによって、第１面１１が拭き取り面であると容易に認識することができる。また第１図柄４１Ｂ及び第２図柄４２Ｂに、音符等の記号及び文字であって第１面１１側から視ると記載内容が正しく、第２面１２側から視ると記載内容が間違うような記号及び文字を使用すれば、より一層、第１面１１が正規の拭き取り面であると容易に認識することができる。したがって、図柄域４０は、使用者に対して第１面１１を拭き取り面として使用するように誘導する機能も有するといえる。
【００５３】
既述のとおり、図柄域４０のうちの第１図柄部４１及び第２図柄部４２が拭き取り域として機能しうるが、第３図柄部４３及び副図柄４４についても凹状ライン１８から形成されていることから、一定程度の拭き取り性を有する。したがって、使用者は、拭き取り時において汚れの大小に応じて、第１図柄部４１〜第３図柄部４３及び副図柄４４のうちの最適なものを適宜選択して使用することができる。
【００５４】
第１図柄部４１及び第２図柄部４２において、外形線４１Ａ，４２Ａを形成する凹状ライン１８（第１ライン（外側図柄部））は、図柄４１Ｂ，４２Ｂを形成する凹状ライン１８（第２ライン（内側図柄部））よりも全体として幅広になっている。すなわち、外形線４１Ａ，４２Ａを形成する第１ラインの延存方向に対する幅寸法が、図柄４１Ｂ，４２Ｂを形成する第２ラインの延存方向に対する幅寸法よりも大きい。これによって、ワイプスシート１０のデザイン性を向上することができる。外形線４１Ａ，４２Ａが比較的に幅広であることによって、使用者の注意を惹きつけて、それに囲まれた図柄４１Ｂ，４２Ｂをより引き立てることができる。加えて、拭き取りの際に、外側に位置する外形線４１Ａ，４２Ａの凹状ライン１８に先ず異物が入り、内側に位置する図柄４１Ｂ，４２Ｂの凹状ライン１８に異物が入るのを抑えることができるため、汚れの拭き取りの後においても、外形線４１Ａ，４２Ａの内側に位置する図柄４１Ｂ，４２Ｂの明瞭性が低下するのを抑えることができる。また、拭き取りの際に外形線４１Ａ，４２Ａによって大まかに汚れを拭き取った後に、その内部に位置する比較的に幅狭であって密に集合した図柄４１Ｂ，４２Ｂによってしつこい汚れを掻き取ることができる。
【００５５】
ワイプスシート１０においては、第２方向Ｙの任意に選択した箇所における第１方向Ｘに、複数の図柄部４１〜４３のうち少なくともいずれかの図柄部４１〜４３が存在している。使用者は、例えば、図柄部４１〜４３が存在しない箇所に指が当たっている状態であれば、指を第１方向Ｘへ移動させれば、いずれかの図柄部４１〜４３が存在する箇所があるため、固着している汚れがあれば、指が当たっている箇所を容易に変更することができる。このワイプスシート１０においては、第１方向Ｘの任意に選択した箇所における第２方向Ｙに、複数の図柄部４１〜４３のうち少なくともいずれかの図柄部４１〜４３が存在している。このため、指が当たる箇所の変更が一層、容易である。
【００５６】
図柄域４０は、デザインの異なる複数の第１図柄部４１及び第２図柄部４２を有することによって、ワイプスシート１０の第１方向Ｘの寸法を２等分する第１仮想線Ｐと第２方向Ｙの寸法を２等分する第２仮想線Ｑとに関して非対称のデザインを有する。したがって、使用者に対して、ワイプスシート１０の縦方向及び幅方向を認識させることができる。このように、ワイプスシート１０の縦横を認識することができる限りにおいて、図柄域４０は、第１仮想線Ｐと第２仮想線Ｑとのいずれか一方に関して非対称であればよい。
【００５７】
ワイプスシート１０においては、第２方向Ｙが製造工程における機械方向、第１方向Ｘが機械方向に交差する方向にそれぞれ対応しており、構成繊維は、主として第２方向Ｙへ配向されている。したがって、拭き取り方向は繊維配向する方向であってシート強度が第１方向Ｘよりも高い第２方向Ｙに沿うことが好ましく、図柄域４０を非対称に配置することによって、第２方向Ｙが拭き取り方向（縦方向）であると認識させることができる。また、第２図柄部４２の図柄４２Ｂのように、第２方向Ｙが縦方向となるように意匠要素を配置することによって、第２方向Ｙへ拭き取るように誘導させることもできる。かかる場合には、第２図柄部４２は、その第１方向Ｘの寸法を２等分する仮想線（図示せず）に対して非対称であるといえる。
【００５８】
再び、図２を参照すると、図柄域４０を形成する凹状ライン１８は、第１方向Ｘへ延びる第２部分８２と、第２方向Ｙへ延びる第１部分８１とを有する。第２部分８２における繊維配向は第２方向Ｙである。このため、第２方向Ｙを拭き取り方向とした場合には所要の引張強度を発揮し、拭き取りの後においても凹状ライン１８の凹形状が崩れることはない。一方、第１部分８１においては、単位面積当たりにおいて、第２部分８２に比べて第２方向Ｙへ配向された繊維数が少なくなっている。このため、第２方向Ｙを拭き取り方向とした場合、第１部分８１の引張強度は、第２部分８２の引張強度よりも小さい。よって、第１部分８１は、第２部分８２を比較すると、拭き取りの後において凹状ライン１８の凹形状がやや崩れることとなる。このため、第１図柄部４１及び第２図柄部４２は、第１方向Ｘへ延びる第２部分８２及び第２方向Ｙへ延びる第１部分８１によって、拭き取りの後における変化態様が異なる。なお、本実施形態では、第１部分８１と第２部分８２とがつながって第１図柄部４１及び第２図柄部４２を形成している例を示したが、第１部分８１と第２部分８２とはつながっていなくてもよい。
【００５９】
ここで、繊維配向とは、ワイプスシート１０の平面視において、繊維が流れている方向であって、「第２部分８２の繊維配向が第２方向である」とは、第２部分８２を構成する繊維の総重量のうち、１００％が第２方向に繊維配向されているもののほかに、５０％以上が第２方向Ｙに対して−４５°〜＋４５°の範囲で繊維配向性を有するものを含む。かかる繊維配向は、この種の分野において公知の方法、例えば、ＴＡＰＰＩ標準法Ｔ４８１の零距離引張強さによる繊維配向性試験法に準じた測定方法によって測定することができる。また、簡易的な方法として、後記の引張試験機を使用して第２部分８２の第１方向Ｘと第２方向Ｙとにおける引張強度比（第１方向Ｘ／第２方向Ｙ）から繊維配向を測定してもよい。
【００６０】
第１部分８１は、それが直線状である場合には、第１仮想線Ｐに沿って延びる部分であり、第２部分は、それが直線状である場合には、第２仮想線Ｑに沿って延びる部分である。一方、例えば、第１図柄部４１及び第２図柄部４２の外形線４１Ａ，４２Ａのように曲状を有する場合には、第１部分８１は、第１方向Ｘへ凸となる部分であって、第２部分８２は、第２方向Ｙへ凸曲した部分である。
【００６１】
例えば、第１図柄部４１及び第２図柄部４２の図柄４１Ｂ，４２Ｂとして第２方向Ｙを上下とするキャラクターデザイン等を採用する場合には、その上下部分（例えば、頭部と胴体）の外形輪郭や上下の寸法バランスが崩れることはなく、拭き取り後や、例えば、第２方向Ｙへ摩擦抵抗が生じるように包装パッケージから取り出した場合においても、そのデザイン形状を維持することができる。
【００６２】
凹状ライン１８の第１部分８１においても、繊維の配向する方向である第２方向Ｙを拭き取り方向とした場合には、その形状が崩れ難く、その幅寸法が狭くなる傾向がある。一方、第１方向Ｘを拭き取り方向とした場合であって、凹状ライン１８に繊維の配向する方向と交差する方向である第１方向Ｘへ引っ張る力が作用したときには、第１部分８１の幅寸法が拡がる。したがって、図柄４１Ｂ，４２Ｂとして第２方向Ｙを上下とするキャラクターデザインを採用する場合には、拭き取り後や第１方向Ｘ或いは 第２方向Ｙへ摩擦抵抗が生じるように包装パッケージから取り出した場合には、その幅寸法が拡げられるような態様となるが、その外観イメージは維持されて、むしろ乳幼児の好む丸みのあるようなキャラクターデザインへと変化させることができる。
【００６３】
図示していないが、第１及び第２図柄部４１，４２の図柄４１Ｂ，４２Ｂとして、図形デザインと文字との観念的な組み合わせからなるものを採用してもよい。例えば、キャラクターが両手にハート状のプラカードを持った図形デザインにおいて、プラカード内に「大好き！／Ｉ  ＬＯＶＥ  ＹＯＵ！」等の文字を配置することによって、図形デザインと文字とが互いに対応して共通の観念を想起させることから、意匠性が向上して使用者の購買意欲を惹起することができるとともに、被使用者である乳幼児の興味を引きつけることができる。
【００６４】
また、例えば、笑顔のキャラクターデザインとともに、「おはよう」「ごちそうさま」等の使用者である母親と、被使用者である乳幼児とが交わす日常会話の一部からなる文字との組み合わせからなるデザインを採用することもできる。このように、乳幼児が未だに覚えていない又は覚えたばかりの単語を図柄４１Ｂ，４２Ｂに採用し、使用時において親子で復唱することによって該単語を乳幼児の記憶に定着させることができる。このように、図柄域４０は、ワイプスシート１０を通じて親子間で会話が生まれて良好なコミュニケーションを図ることのできるツールの一つとしての機能を備えることもできる。
【００６５】
以上のように、ワイプスシート１０は、視認性が高く独自性に優れたデザインを有するものであることから、従来のワイプスシートとは異なり、図柄部分がシームレスに形成された高級なハンカチーフのような美的外観を有する。したがって、他製品との差別化を実現することによって、使用者が比較的に女性の若年層であっても、躊躇することなく、むしろ積極的にワイプスシートを外出時に携帯して使用することができる。また、図柄域４０として企業のロゴデザインを採用した場合には、使用者に対して効果的にブランドを認知させることができ、優れた宣伝広告機能を発揮しうる。したがって、ワイプスシート１０は、ワイプスとしての基本的機能と消費者の購入意欲を惹起するような情緒的な価値との両方を併せ持つものといえる。
【００６６】
再び、図３を参照すると、ワイプスシート１０は、凹状ライン１８の底部１８ａに位置する低密度領域５１と、低密度領域５１の少なくとも両側に位置する低密度領域５１よりも繊維密度が高い高密度領域５２と、低密度領域５１よりも繊維密度が高く、かつ、高密度領域５２よりも繊維密度の小さい中密度領域５３とを有する。すなわち、凹状ライン１８の底部１８ａにおいて最も繊維密度が低く、底部１８ａの外周縁を囲むように、少なくとも両側に位置する部分には最も繊維密度の高い高密度領域５２が位置している。
【００６７】
ワイプスシート１０は、このような繊維密度差を有し、低密度領域５１からなる凹状ライン１８の底部１８ａを囲むように高密度領域５２が位置して密度差によるコントラストが形成されている。外観においても繊維の疎密によって凹状ライン１８（の底部１８ａ）の外周縁を縁取りするように高密度領域５２が色濃く視認されて、より凹状ライン１８の輪郭がはっきりと視認されうる。
【００６８】
また、高密度領域５２は、第２面１２側において中密度領域５３よりも外方へ突出した突出部分５４を有している。このように、高密度領域５２が第２面１２側において外方へ突出した立体形状を有していることから、使用者が凹状ライン１８が形成されていない第２面１２側から視た場合であっても、凹状ライン１８の輪郭を把握することができる。したがって、高密度領域５２と低密度領域５１とによる密度差による色の濃淡によるコントラストと相俟って、第１面１１のみならず第２面１２からも凹状ライン１８の輪郭をよりはっきりと視認させることができる。
【００６９】
図示していないが、ワイプスシート１０を使用する場合には、非拭き取り面である第２面１２を内側にして２つに折り曲げて使用する場合がある。かかる使用態様においては、折り重ねられた部分の第２面１２どうしが互いに接触し、拭き取り操作をしている間に接触部分がズレて、拭き取り面に対して十分に力が作用しないおそれがある。ワイプスシート１０では、第２面１２側に位置する高密度領域５２の突出部分５４が対向面に引っ掛かってそれらの折り重ねられた部分の摺動を妨げるストッパーとして機能し、拭き取り操作中におけるかかるシートどうしのズレを抑制し、拭き取り面に対して十分に力を伝えて拭き取りを行うことができる。
【００７０】
本実施形態においては、１枚のワイプスシート１０において、独立かつ閉鎖した外形線４１Ａ，４２Ａを有する図柄部４１，４２が複数存在しているが、デザイン性及び拭き取り性を考慮して、少なくとも１つの図柄部４１，４２が存在していればよい。また、ワイプスシート１０ごとに異なるデザインの図柄域４０を有することによって、使用者が複数のワイプスシート１０が収容された容器から取り出すときに、次々に異なるデザインを有するものが引き出されることになるので、使用者は楽しみながらポップアップすることができる。
【００７１】
＜ワイプスシートの製造方法＞
本発明に係るワイプスシート１０は、この種の分野において通常使用されるワイプス用の繊維不織布シートと同様の製造装置、例えば、繊維ウエブ形成部、繊維ウエブに水を含ませる水供給部、繊維を交絡して再配列するための水流噴射部（工程）、脱水部（脱水機）、乾燥部（乾燥機）を含む製造装置を使用することができる。ワイプスシート１０の製造装置、製造工程の一部について、以下に説明する。
【００７２】
まず、ワイプスシート１０の基材として、各種公知の製法によって製造された繊維集合体を積層してなる繊維ウエブを形成する。繊維ウエブは、例えば、カード法で形成された繊維集合体、エアレイド法で形成された繊維集合体、湿式法で形成された繊維集合体、スパンボンド法、メルトブローン法で形成された繊維集合体等を積層して形成することができる。本実施形態においては、繊維ウエブは、ワイプスシート１０の第１及び第２繊維層２１，２２に対応したカード法で形成された繊維集合体間に中間繊維層２３に対応したエアレイド法で形成された繊維集合体を介在させて積層した複層構造を有する。
【００７３】
繊維ウエブは、繊維交絡及び図柄域４０を形成する凹状ライン１８に対応した凹状部分を賦形するための水流噴射（ウォータージェット）工程の前に、予め水を含ませておくことが好ましい。水流噴射工程において繊維を交絡する前に繊維ウエブに水を含ませておくことによって、繊維間隙が水で埋められて、繊維密度が高くなる。それによって、水流噴射工程において、水流によって繊維が飛散して繊維ウエブの繊維密度が不均一になり、繊維ウエブの地合いが乱れるのを抑制することができる。このように、事前に水を含ませる場合には、繊維間隙を水で埋めることが目的なので、繊維が移動する程の水圧を要さず、スプレーによって水を吹き掛けてもよい。
【００７４】
図４は、繊維ウエブ１０１に図柄域４０の凹状ライン１８に対応した凹状部分１２２を形成する水流噴射工程１００の斜視図である。水流噴射工程１００は、機械方向ＭＤへ搬送された繊維ウエブを外周面に保持するサクションドラム１０６と、サクションドラム１０６の外周面上に位置する繊維ウエブに水流を噴射するノズルプレート１０７とを含む。繊維ウエブ１０１は、サクションドラム１０６の外周面上においてノズルプレート１０７と対向する第１面１０１ａと、その反対側に位置するサクションドラム１０６の外周面と対向する第２面１０１ｂとを有する。
【００７５】
サクションドラム１０６は、線状凸部１２０を有する賦形支持体１０６ａを備える。賦形支持体１０６ａの外周面は複数の吸引管１２１を有するメッシュ状であって、賦形支持体１０６ａを軸線Ｋ１周りに回転させながら、繊維ウエブ１０１を賦形支持体１０６ａに吸引して外周面に保持させつつ、下流側搬送手段（図示せず）を介して脱水機（図示せず）へ搬送する。ノズルプレート１０７は、サクションドラム１０６の外周面に保持された繊維ウエブ１０１の第１面１０１ａ側へ向かって水を噴射して、繊維どうしを交絡させるとともに賦形支持体１０６ａの外周面に位置する線状凸部１２０に押し付けることによって、繊維ウエブ１０１の第２面１０１ｂ側には凹凸パターンが付与される。線状凸部１２０は、賦形支持体１０６ａの外周面と一体又は別体に形成されている。
【００７６】
図示していないが、脱水機の搬送ベルトによってさらに機械方向ＭＤへ搬送された繊維ウエブ１０１は、ドライ状態で使用するワイプスシートとして使用される場合には乾燥機に搬送され、一方、ウエット状態で使用するワイプスシート１０して使用される場合には、乾燥機を経て又は経ずに、薬剤や香料を含む液体を含浸するための液供給手段へ搬送される。繊維ウエブはそれらの工程を経た後に、切断手段によって適当な大きさにカットされる。なお、乾燥機においては、繊維ウエブ１０１を構成する熱融着性繊維の一部が熱融着して、シート強度が向上する。
【００７７】
ノズルプレート１０７においては、サクションドラム１０６の賦形支持体１０６ａの外周面に保持された繊維ウエブ１０１の第１面１０１ａに対して交差方向ＣＤに並ぶ複数のノズルが水を噴射する。繊維ウエブ１０１は、サクションドラム１０６の上流に位置するサクションドラム（図示せず）において予備的に繊維交絡がされて繊維どうしが弱い力で交絡されて全体として平坦状であるところ、外周面の吸引管１２１から吸引されながらノズルプレート１０７から噴射された水流によって繊維ウエブ１０１を賦形支持体１０６ａの外周面に位置する線状凸部１２０に押し当てられる。
【００７８】
図５（ａ）は、サクションドラム１０６において、水流が噴射される前の線状凸部１２０上の繊維ウエブ１０１の拡大図、図５（ｂ）は、サクションドラムにおいて、流体が噴射された後の線状凸部１２０上の繊維ウエブ１０１の拡大図である。
【００７９】
図５（ａ），（ｂ）を参照すると、線状凸部１２０においては繊維が吸引されていないことから、線状凸部１２０上に位置していた繊維が周辺に移動するように再配列されて線状凸部１２０に対応する繊維ウエブ１０１の第２面１０１ｂ側には、第１面１０１ａ側へ凹となる凹状部分１２２が形成される。
【００８０】
線状凸部１２０は、ワイプスシート１０の第１及び第２図柄部４１，４２、並びに副図柄４４に対応した異なるデザインを有する第１、第２及び第３線状凸部１２０ａ，１２０ｂ，１２０ｃを有する。線状凸部１２０は、賦形支持体１０６ａの外周面から突出した部分であるから、図示した態様のほかに、キャラクターや企業ロゴ等の様々なデザインを採用して繊維ウエブ１０１に賦形することができる。
【００８１】
線状凸部１２０は、賦形支持体１０６ａの外周全体に配置されており、製造されたすべてのワイプスシート１０にも少なくとも１つの独立かつ閉鎖したデザインを有する図柄部が配置されるようなパターンを有している。また、線状凸部１２０の高さは、賦形するデザインに応じてその延在方向において線幅及び高さが変化するように設計されている。
【００８２】
繊維ウエブ１０１のうちの線状凸部１２０上に位置する肉薄部分（凹状部分１２２の底部）１２４では、水流によって周辺に繊維が移動し、かつ、吸引管１２１によって吸引されていないことから、周辺域に比べて繊維密度が低くなっている。
【００８３】
一方、肉薄部分１２４を囲むようにその外周縁に位置する第１部分１３１には線状凸部１２０上から移動した繊維が溜まって比較的に繊維密度が高くなっている。また、第１部分１３１からさらに外方に延びる第２部分１３２においては、肉薄部分１２４よりも繊維密度が高く、かつ、第１部分１３１よりも繊維密度が低くなっている。
【００８４】
また、繊維ウエブ１０１の中間繊維層に位置するパルプ繊維は、上下層に位置する熱融着繊維に比して繊維長が短く、繊維集合体において繊維どうしの絡合が弱いことから水流によって移動しやすくなっている。したがって、線状凸部１２０上に位置する肉薄部分１２４からなる低密度領域においては、パルプ繊維が周辺に飛ばされるように移動してパルプ繊維の質量が第１及び第２部分１３１，１３２に比べて低くなっている。
【００８５】
かかる水流噴射工程によって繊維ウエブ１０１に繊維の絡合によって形成されたデザイン模様を賦形することができ、繊維ウエブ１０１の凹状部分１２２、第１部分１３１及び第２部分１３２が、それぞれ、ワイプスシート１０の凹状ライン１８（低密度領域５１），高密度領域５２及び中密度領域５３に相当する。
【００８６】
従来、スパンレース繊維不織布の製造工程においては、サクションドラムの賦形支持体に形成された凹状部分に繊維を押し込むようにして凹状パターンを賦形する方法がある。かかる製法においては、凹状部分において繊維が吸引されるので、繊維が存在しないか、若しくは、凹状部分の延在方向へ延びる大きな開孔が形成される。したがって、例えば、本実施形態に係る図柄域４０のような繊維ウエブに独立かつ閉鎖した図柄を賦すために、凹状部分を独立かつ閉鎖した形状に形成した場合には、凹状部分にその延在方向へ連続する開孔が形成され、製造工程中に凹状部分に囲まれた部分が抜け落ちるおそれがある。
【００８７】
本製造方法によれば、サクションドラム１０６の賦形支持体１０６ａの外周面に配置された線状凸部１２０によって繊維が再配向されて繊維ウエブ１０１の第２面１０１ｂ側に凹状部分１２２が賦形されることから、線状凸部１２０に位置する肉薄部分１２４にはその延在方向へ比較的に大きな開孔が形成されることなく、製造工程中において線状凸部１２０に囲まれた部分が抜け落ちることはない。このように、水流に向かって凸となる線状凸部１２０によって繊維ウエブ１０１を賦形することによって、繊維の交絡のみによって独立かつ閉鎖的な様々なデザイン、例えば、キャラクター、文字、図形、記号、それらの組み合わせ等を様々なサイズで採用することができる。
【００８８】
ワイプスシート１０の製造方法の一例として、水流交絡によるスパンレース製法を例示したが、流体処理による繊維交絡によって凹状ライン１８を形成することができる限りにおいて、水のほかに、空気、水蒸気等の流体による製法を採用することもできる。
【００８９】
＜第１変形例＞
図６は、本発明のワイプスシート１０の変形例の一例における図２と同様の平面図である。本変形例においては、副図柄４４を構成する凹状ライン１８の幅寸法は、第１図柄部４１及び第２図柄部４２を構成する凹状ライン１８の幅寸法よりも大きい。これによって、拭き取りの際に、第１図柄部４１及び第２図柄部４２の外側に位置する副図柄４４の凹状ライン１８に先ず異物が入り、内側に位置する第１図柄部４１及び第２図柄部４２の凹状ライン１８に異物が入るのを抑えることができるため、拭き取りの後においても、第１図柄部４１及び第２図柄部４２の明瞭性が低下するのを抑えることができる。
【００９０】
＜第２変形例＞
図７は、本発明のワイプスシート１０の変形例の一例における図２と同様の平面図である。本変形例においては、ワイプスシート１０は、副図柄４４を有していない。また、第１図柄部４１の外形線４１Ａの凹状ライン１８は、延在方向へ連続する１つのラインにおいて、延在方向に対する幅寸法が異なる幅狭部分４９ａと幅広部分４９ｂとを有する。これによって、ワイプスシート１０のデザイン性を向上することができる。なお、本変形例には、第１図柄部４１の外形線４１Ａが、幅狭部分４９ａ及び幅広部分４９ｂを有するもので説明した。しかし、この発明は、それに限られず、第１図柄部４１の図柄４１Ｂが、幅狭部分及び幅広部分を有してもよいし、第２図柄部４２の外形線４２Ａが、幅狭部分及び幅広部分を有してもよいし、第２図柄部４２の図柄４２Ｂが、幅狭部分及び幅広部分を有してもよい。
【００９１】
本明細書においては、ワイプスシート１０としての技術的効果について重点的に述べたが、本発明に係る繊維不織布シートは、ワイプス用に限らず、生理用ナプキンや使い捨ておむつ、母乳パッド等の衛生用品の構成材料としても使用しうる。特に、図柄域４０の第１図柄部４１及び第２図柄部４２が、繊維の交絡による凹状ライン１８によって形成された独立かつ閉鎖した外形線４１Ａ，４２Ａを有することから、全体として柔軟なデザイン性に優れたものであって、衛生用品のうちの肌に接するシート材料として好適に用いることができる。
【００９２】
ワイプスシート１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている、「第１」、「第２」、「第３」及び「第４」の用語は、同様の要素、位置等を単に区別するために用いている。
【符号の説明】
【００９３】
１０    繊維不織布シート（ワイプスシート）
１１    第１面
１２    第２面
１８    凹状ライン
１８    外形線を形成する凹状ライン（第１ライン）
１８    図柄を形成する凹状ライン（第２ライン）
４１    第１図柄部（図柄部）
４２    第２図柄部（図柄部）
４４    副図柄
４９ａ  幅狭部分
４９ｂ  幅広部分
Ｘ      第１方向
Ｙ      第２方向
Ｚ      厚さ方向
【図１】
2019119955.tif 000003
【図２】
2019119955.tif 000004
【図３】
2019119955.tif 000005
【図４】
2019119955.tif 000006
【図５】
2019119955.tif 000007
【図６】
2019119955.tif 000008
【図７】
2019119955.tif 000009